(57)【要約】【課題】簡単な操作でヒューズ挿入対象物にヒューズを正確に挿入することができ、ヒューズに変形や損傷等が生じることがないヒューズ挿入ガンを提供する。【解決手段】射出部２およびグリップ部３を有するピストル形状の筐体４を備え、ヒューズマガジン６から供給されるヒューズ５を押圧して外方に向けて打ち出すヒューズ挿入ガン１であって、往復移動するラック８と、ラック８から下方に延びる突出するトリガー９と、ラック８の往復運動を回転運動に変換するピニオン１０と、ピニオン１０と同軸に配置されたシャフト１１と、ピニオン１０の回転運動をシャフト１１に伝達するワンウェイクラッチ１２と、シャフト１１の回転運動を往復運動に変換して打出部材７に伝達するクランク部材１３およびコネクティングロッド１４と、ラック８をヒューズ打出方向に付勢するラック用引張ばね１５と、を有する構成としている。【選択図】図１
2016184543.tif 000002
【特許請求の範囲】
【請求項１】
射出部の後部に下側に延びるグリップ部を有するピストル形状の筐体を備え、前記射出部に上部に開口されたマガジン差込部に、ヒューズを積層・収容したヒューズマガジンを差し込むことにより、前記ヒューズマガジンから前記射出部内のヒューズ収容部に前記ヒューズを一個ずつ供給し、かつ前記射出部内に配置された打出部材により前記ヒューズ収容部内の前記ヒューズの打出方向後面を押圧して、前記ヒューズを前記射出部のヒューズ打出口から外方に向けて打ち出すヒューズ挿入ガンであって、
前記筐体内には、
前記ヒューズの打出方向に往復移動する可能なラックと、
前記ラックの下面から前記筐体のグリップ部の前方に突出するトリガーと、
前記ラックをヒューズ打出方向に付勢する弾性部材と、
前記ラックに噛合しており前記トリガーを１回引くことによる前記ラックの移動で４分の１回転するピニオンと、
前記ピニオンと同軸に配置され、かつ前記筐体内に固定されたブラケットに支持されたシャフトと、
前記トリガーが後方側に引かれたときに前記ピニオンの回転運動を前記シャフトに伝達するワンウェイクラッチと、
前記シャフトに取り付けたクランク部材と、
前記打出部材が前記ヒューズを打ち出した位置にあるときに、連結部が射出部に寄った位置となるように前記クランク部材と前記打出部材とを連結するコネクティングロッドと、を有することを特徴とするヒューズ挿入ガン。
【発明の詳細な説明】
【技術分野】
【０００１】
本発明は、ヒューズ挿入ガンに関する。
【背景技術】
【０００２】
従来、ヒューズをヒューズソケットに差し込むように構成した電気接続箱が知られている（例えば、特許文献１参照）。図８に、特許文献１に記載のものと同一構成のヒューズ１０１およびヒューズ収容部１０２を示す。
【０００３】
ヒューズ１０１は、図示しない回路保護用導体が収納された直方体状のケース１０１ａと、回路保護用導体に電気的に接続されてケース１０１ａから外部に突出する一対の端子１０１ｂとを有している。
【０００４】
ヒューズ収容部１０２は、ケース１０１ａの両縁部が嵌まり込んで、ケース１０１ａを差し込み方向に案内する一対の案内部１０２ａと、各端子１０１ｂに電気的に接続される図示しない接点とを有している。
【０００５】
ヒューズ１０１は、作業者がケース１０１ａを指で摘まんでケース１０１ａの両縁部を案内部１０２ａに嵌め込み、次いで、作業者がケース１０１ａを差し込み方向に押し込むことにより、ヒューズ収容部１０２に挿入されるようになっている。
【先行技術文献】
【特許文献】
【０００６】
【特許文献１】特開２０１０−６３２６９号公報  図４（Ｂ）
【発明の概要】
【発明が解決しようとする課題】
【０００７】
しかしながら、ヒューズ１０１は、一対の案内部１０２ａに対してケース１０１ａの両縁部が斜めに嵌め込まれると、作業者がケース１０１ａを差し込み方向に押し込み難くなり、ヒューズ１０１をヒューズ収容部１０２に容易に挿入することができず、ヒューズ１０１に変形や損傷等が生じることが懸念されるという問題があった。
【０００８】
本発明は、上述のような課題を解決するためになされたもので、簡単な操作でヒューズ挿入対象物にヒューズを正確に挿入することができ、ヒューズに変形や損傷等が生じることがないヒューズ挿入ガンを提供することを目的としている。
【課題を解決するための手段】
【０００９】
本発明に係るヒューズ挿入ガンは、上記目的達成のため、射出部の後部に下側に延びるグリップ部を有するピストル形状の筐体を備え、前記射出部に上部に開口されたマガジン差込部に、ヒューズを積層・収容したヒューズマガジンを差し込むことにより、前記ヒューズマガジンから前記射出部内のヒューズ収容部に前記ヒューズを一個ずつ供給し、かつ前記射出部内に配置された打出部材により前記ヒューズ収容部内の前記ヒューズの打出方向後面を押圧して、前記ヒューズを前記射出部のヒューズ打出口から外方に向けて打ち出すヒューズ挿入ガンであって、前記筐体内には、前記ヒューズの打出方向に往復移動する可能なラックと、前記ラックの下面から前記筐体のグリップ部の前方に突出するトリガーと、前記ラックに噛合しており前記トリガーを１回引くことによる前記ラックの移動で４分の１回転するピニオンと、前記ピニオンと同軸に配置され、かつ前記筐体内に固定されたブラケットに支持されたシャフトと、前記トリガーが後方側に引かれたときに前記ピニオンの回転運動を前記シャフトに伝達するワンウェイクラッチと、前記シャフトに取り付けたクランク部材と、前記打出部材が前記ヒューズを打ち出した位置にあるときに、連結部が射出部に寄った位置となるように前記クランク部材と前記打出部材とを連結するコネクティングロッドと、を有する構成とする。
【００１０】
この構成により、本発明に係るヒューズ挿入ガンは、ヒューズを積層・収容したヒューズマガジンを射出部のマガジン差込部に差し込むと、ヒューズマガジンから射出部内のヒューズ収容部にヒューズが一個ずつ供給される。
【００１１】
本発明に係るヒューズ挿入ガンは、手動操作によりトリガーをグリップ部側へ引き寄せると、弾性部材の付勢力に抗しつつラックが後方側に移動してピニオンを正方向に回転させ、ピニオンの回転運動がワンウェイクラッチおよびシャフトを経てクランク部材に伝達される。
【００１２】
本発明に係るヒューズ挿入ガンは、トリガーをグリップ部側へ引き寄せる操作を中断すると、弾性部材の付勢力によりラックが前方側に移動してピニオンを逆方向に回転させる。このとき、ワンウェイクラッチは、シャフトおよびクランク部材に対してピニオンを空回りさせる。
【００１３】
本発明に係るヒューズ挿入ガンは、クランク部材が回転すると、クランク部材の回転角に応じてコネクティングロッドおよび打出部材が前後方向に移動する。
【００１４】
本発明に係るヒューズ挿入ガンは、ヒューズ挿入対象物に射出部のヒューズ打出口を相対させた状態で、ストロークの最後端から最前端まで打出部材が移動すると、ヒューズ収容部内のヒューズが射出部のヒューズ打出口から外方に向けて打ち出されて、ヒューズ挿入対象物に挿入される。
【００１５】
本発明に係るヒューズ挿入ガンは、ストロークの最前端から最後端まで打出部材が移動すると、ヒューズマガジンから射出部内のヒューズ収容部に新たなヒューズが供給される。
【００１６】
このため、本発明に係るヒューズ挿入ガンは、簡単な操作でヒューズ挿入対象物にヒューズを正確に挿入することができ、ヒューズに変形や損傷等が生じることがない。
【００１７】
上記ヒューズ挿入ガンおいて、前記ヒューズマガジンは、積層・収容されたヒューズを外部より確認可能な少なくとも一つの窓部を有した構成とすることが好ましい。
【００１８】
この構成により、本発明に係るヒューズ挿入ガンは、作業者がヒューズマガジンの窓部から残りのヒューズの数を確認できる。
【００１９】
このため、本発明に係るヒューズ挿入ガンは、複数のヒューズ挿入対象物に対してヒューズを挿入する場合に、残りのヒューズの数を確認することによりヒューズ挿入対象物へのヒューズの挿入忘れを防止することができる。
【発明の効果】
【００２０】
本発明によれば、簡単な操作でヒューズ挿入対象物にヒューズを正確に挿入することができ、ヒューズに変形や損傷等が生じることがないヒューズ挿入ガンを提供することができる。
【図面の簡単な説明】
【００２１】
【図１】本発明の実施の形態に係るヒューズ挿入ガンにおいて、打出部材が最も後退した状態の概略縦断面図である。
【図２】本発明の実施の形態に係るヒューズ挿入ガンにおいて、トリガーを１回引いて打出部材が前方側へ向けて第１段階移動した状態の概略縦断面図である。
【図３】本発明の実施の形態に係るヒューズ挿入ガンにおいて、トリガーを２回引いて打出部材が前方側へ向けて第２段階移動しヒューズを打ち出した状態の概略縦断面図である。
【図４】本発明の実施の形態に係るヒューズ挿入ガンにおいて、打出部材が最も後退した状態の概略水平断面図である。
【図５】図１のＡ−Ａ断面図である。
【図６】本発明の実施の形態に係るヒューズ挿入ガンに適用するワンウェイクラッチおよびクランク部材等の概略水平断面図である。
【図７】本発明の実施の形態に係るヒューズ挿入ガンに適用するワンウェイクラッチ等の概略縦断面図である。
【図８】従来の電気接続箱に適用されるヒューズおよびヒューズソケットの概略斜視図であって、（ａ）はヒューズをヒューズソケットに差し込む前の状態、（ｂ）はヒューズをヒューズソケットに差し込んだ後の状態、（ｃ）はヒューズソケットの案内部にヒューズのケースの両縁部が斜めに嵌め込まれた状態を示す。
【発明を実施するための形態】
【００２２】
以下、本発明の実施の形態に係るヒューズ挿入ガンについて、図面を参照して説明する。
【００２３】
図１〜図７に示すように、本実施の形態に係るヒューズ挿入ガン１は、射出部２の後部に下側に延びるグリップ部３を有するピストル形状の筐体４と、複数のヒューズ５を積層させた状態で収容するヒューズマガジン６と、を備えている。
【００２４】
筐体４内には、打出部材７、ラック８、ピニオン１０、シャフト１１、ワンウェイクラッチ１２、クランク部材１３、コネクティングロッド１４およびラック用引張ばね１５が収容されている。トリガー９は、筐体４のグリップ部３の前方側に位置するように筐体４外に下向きに突出されている。
【００２５】
筐体４は、射出部２の先端上部にマガジン差込部２ａが開口され、射出部２の内部にマガジン差込部２ａに連通するヒューズ収容部２ｂが形成されている。ヒューズ収容部２ｂは、前端部にヒューズ打出口２ｃが開口され、後端部に打出部材挿入口２ｄが開口されており、ヒューズ５が一個ずつ前側に向けて移動可能な開口断面を有している。
【００２６】
ヒューズ５は、図示しない回路保護用導体が収納された直方体状のケース５ａと、回路保護用導体に電気的に接続されてケース５ａから外部に突出する一対の端子５ｂとを有している。
【００２７】
ヒューズマガジン６は、上下方向に細長く、下端部が開口した箱状体であり、下端部が射出部２のマガジン差込部２ａに差し込まれるようになっている。ヒューズマガジン６は、下端部に一対のストッパ機構６ａを有し、内部上面にヒューズ用圧縮ばね６ｂが装着されている。また、ヒューズマガジン６は、積層・収容されたヒューズを外部より確認可能な少なくとも一つの窓部６ｃを有している。
【００２８】
各ストッパ機構６ａは、ヒューズマガジン６の両側部に形成されてヒューズマガジン６の中心側に向かって開口するガイド部６ｄと、各ガイド部６ｄに収容されて水平方向に往復移動可能なストッパ部材６ｅと、各ガイド部６ｄに収容されてストッパ部材６ｅをヒューズマガジン６の中心側に向けて付勢するストッパ用圧縮ばね６ｆと、によって構成されている。各ストッパ部材６ｅは、ヒューズマガジン６の中心側の端部に、下方から上方に向けてヒューズマガジン６の中心側に傾斜する面６ｇを有している。
【００２９】
したがって、ヒューズ５をヒューズマガジン６に収容するときには、ヒューズ５により各ストッパ部材６ｅのヒューズマガジン６の中心側の端部が各ガイド部６ｄの内部に押し込まれる。
【００３０】
ヒューズ５がヒューズマガジン６にされた後は、各ストッパ用圧縮ばね６ｆにより各ストッパ部材６ｅがヒューズマガジン６の中心側に向けて押し出され、各ストッパ部材６ｅがヒューズ５をヒューズマガジン６から抜け出さないように保持する。さらに、ヒューズマガジン６に収容されたヒューズ５は、ヒューズ用圧縮ばね６ｂによって各ストッパ部材６ｅに向けて押圧される。
【００３１】
筐体４は、射出部２の先端上部に一対のロック部２ｅを有している。各ロック部２ｅは、射出部２のマガジン差込部２ａにヒューズマガジン６が差し込まれたときに、ヒューズマガジン６の各ガイド部６ｄに係合して、ヒューズマガジン６を射出部２に固定するように構成されている。
【００３２】
筐体４は、射出部２の先端上部に一対の凸部２ｆを有している。各凸部２ｆは、下方から上方に向けてマガジン差込部２ａの中心側に傾斜する面２ｇを有している。各凸部２ｆは、射出部２のマガジン差込部２ａにヒューズマガジン６が差し込まれたときに、各面２ｇが各ガイド部６ｄの面６ｇに当接して、各ストッパ部材６ｅのヒューズマガジン６の中心側の端部を各ガイド部６ｄの内部に押し込むように構成されている。
【００３３】
したがって、筐体４の射出部２のマガジン差込部２ａにヒューズマガジン６を差し込むと、各凸部２ｆにより各ストッパ部材６ｅのヒューズマガジン６の中心側の端部が各ガイド部６ｄの内部に押し込まれ、ヒューズマガジン６に積層・収容されているヒューズ５がヒューズ用圧縮ばね６ｂにより全体的に押し下げられて、最下段のヒューズ５が射出部２のヒューズ収容部２ｂに供給される。
【００３４】
打出部材７は、ヒューズ収容部２ｂに前後方向に往復移動可能に挿入されたヒューズ押圧部７ａと、ヒューズ押圧部７ａの後端部に設けた支持部７ｂとによって構成されている。
【００３５】
ヒューズ押圧部７ａの全長は、打出部材７が最も前進したときに、ヒューズ押圧部７ａの前端部がヒューズ打出口２ｃからヒューズ収容部２ｂの外部に突出するように、かつ打出部材７が最も後退したときに、ヒューズ押圧部７ａの前端部がマガジン差込部２ａ内のヒューズ５の後面よりも後方側に位置するように設定されている。
【００３６】
打出部材７が最も前進したときのヒューズ押圧部７ａの前端部位置と、打出部材７が最も後退したときのヒューズ押圧部７ａの前端部位置との距離が、打出部材７のストロークとなる。
【００３７】
支持部７ｂは、打出部材７の移動方向に対して直交する水平方向に延びる一対のガイドピン７ｃを有している。ガイドピン７ｃは、射出部２の各側壁部２ｈに形成された前後方向に水平に延びるスリット部２ｉに摺動可能に嵌め込まれている。
【００３８】
ラック８は、打出部材７よりも後側に配置され、射出部２の内部に設置された前後方向に延びるガイドレール１６に沿って往復移動するように構成されている。トリガー９は、ラック８の前端下部から下方に延び、射出部２の下部に開口されたトリガー挿通孔２ｊに通されてグリップ部３の前方側に位置するようになっている。
【００３９】
ピニオン１０は、ラック８に上側から噛合している。シャフト１１は、射出部２の内部にピニオン１０を挟むように射出部２の内部に設置された一対のブラケット１７に軸受１８を介して支持されている。
【００４０】
ワンウェイクラッチ１２は、外周部に複数のポケット部１２ａを有する内輪１２ｂと、各ポケット部１２ａに収容された複数のローラ１２ｃおよび複数のローラ用ばね１２ｄと、各ローラ１２ｃおよび内輪１２ｂを周方向に取り囲む外輪１２ｅとによって構成される公知のものである。
【００４１】
ワンウェイクラッチ１２は、外輪１２ｅに対してピニオン１０が外嵌し、内輪１２ｂに対してシャフト１１がスプライン嵌合しており、ピニオン１０が図中において時計回りに回転するときにシャフト１１がピニオン１０と一体に回転し、また、ピニオン１０が図中において反時計回りに回転するとシャフト１１に対してピニオン１０が空回りするようになっている。
【００４２】
一対のクランク部材１３は、円板状に形成されて中心部が各シャフト１１に嵌着され、中心部に対して偏心した位置にクランクピン１３ａを有している。一対のコネクティングロッド１４は、後端部に各クランク部材１３のクランクピン１３ａが連結され、前端部に打出部材７の各ガイドピン７ｃが連結されている。
【００４３】
ラック８の歯数に対するピニオン１０の歯数は、トリガー９を１回引くことによるラック８のストロークの最前端から最後端までの移動でピニオン１０が４分の１回転するように決定される。
【００４４】
これにより、打出部材７のヒューズ押圧部７ａの前端部は、クランク部材１３の回転角に応じて、ヒューズ打出口２ｃからヒューズ収容部２ｂの外部に突出する位置と、マガジン差込部２ａ内のヒューズ５の後面よりも後方側の位置との間を往復移動するようになっている。
【００４５】
ラック用引張ばね１５は、ラック８の前方側に配置され、前端部が射出部２の内部に設置されたアンカー部材１９に係止され、後端部がラック８の先端部に係止されており、ラック８を前方側に向けて付勢するようになっている。ラック用引張ばね１５は、本発明を構成する弾性部材に相当する。
【００４６】
また、ラック用引張ばね１５により前方側に向けて付勢されるラック８は、射出部２の内部に設置されたストッパ部材２０によって前進位置が規制されるように構成されている。
【００４７】
本実施の形態に係るヒューズ挿入ガン１は、打出部材７が最も後退した状態で、ヒューズ５を積層・収容したヒューズマガジン６を射出部２のマガジン差込部２ａに差し込むと、各凸部２ｆにより各ストッパ部材６ｅのヒューズマガジン６の中心側の端部が各ガイド部６ｄの内部に押し込まれる。
【００４８】
これにより、ヒューズ用圧縮ばね６ｂがヒューズマガジン６に積層・収容されているヒューズ５を全体的に押し下げ、最下段のヒューズ５が射出部２のヒューズ収容部２ｂに供給される。
【００４９】
ヒューズ挿入ガン１は、手動操作によりトリガー９をグリップ部３側へ１回引き寄せると、ラック用引張ばね１５の付勢力に抗しつつラック８が後方側に移動してピニオン１０が時計回りに４分の１回転し、ピニオン１０の回転運動がワンウェイクラッチ１２およびシャフト１１を経てクランク部材１３に伝達される。
【００５０】
図２に示すように、クランク部材１３が４分の１回転すると、コネクティングロッド１４を介して打出部材７が前後方向に移動し、打出部材７がヒューズ５の端子５ｂをヒューズ打出口２ｃより外方に突き出す位置に停止する。
【００５１】
トリガー９から指を離すと、ラック用引張ばね１５の付勢力によりラック８が前進位置に復帰する。このとき、ピニオン１０が反時計回りに回転するが、ピニオン１０の反回転は、ワンウェイクラッチ１２の働きによりシャフト１１およびクランク部材１３には伝わらない。
【００５２】
次いで、ヒューズ５を装着したヒューズ収容部（図８参照）にヒューズ５の端子５ｂを正確に方向と位置を定めて差し込み、手動操作によりトリガー９の２回目のグリップ部３側へ引き寄せを行う。
【００５３】
図３に示すように、トリガー９の２回目のグリップ部３側へ引き寄せを行うと、１回目と同様に、ラック８が後方移動を行い、ピニオン１０が時計回りに４分の１回転する。このときも、ピニオン１０の回転運動は、ワンウェイクラッチ１２およびシャフト１１を経てクランク部材１３に伝達される。クランク部材１３は、初期位置から１８０度回転することになる。
【００５４】
クランク部材１３が初期位置から１８０度回転すると、クランク部材１３にリンクしているコネクティングロッド１４および打出部材７が打ち出し方向へ最大に前進したことになる。これにより、打出部材７がヒューズ打出口２ｃより外方へ突き出してヒューズ５をヒューズ収容部２ｂへ押し込むように打ち出す。
【００５５】
トリガー９から指を離すと、１回目と同様に、ラック用引張ばね１５の付勢力によりラック８が前進位置に復帰する。このとき、ピニオン１０が反時計回りに回転するが、ピニオン１０の反回転は、ワンウェイクラッチ１２の働きによりシャフト１１およびクランク部材１３には伝わらない。
【００５６】
次いで、トリガー９の３回目のグリップ部３側へ引き寄せを行うと、クランク部材１３が初期位置から４分の３回転することになるとともに、打出部材７が図２に示す位置まで後退する。
【００５７】
続いて、トリガー９の４回目のグリップ部３側へ引き寄せを行うと、図１に示す状態になる。すなわち、クランク部材１３が初期位置から１回転して初期位置に戻ることになるとともに、打出部材７が初期位置まで後退する。これにより、次のヒューズ５が打出部材７に落下する。以上により、ヒューズ打ち込みの１サイクルが終了する。
【００５８】
上述したように、本実施の形態に係るヒューズ挿入ガン１は、トリガー９を１回引いて打出部材７を第１段階の位置に前進させ、打出部材７がヒューズ収容部２ｂ内のヒューズ５を押圧して、ヒューズ５の端子５ｂを射出部２のヒューズ打出口２ｃから突出させた状態とする。次いで、図示しないヒューズソケット等のヒューズ挿入対象物にヒューズ５の端子５ｂを正確に差し込んで、トリガー９の２回目の引きを行い、打出部材７を第２段階の位置に前進させると、打出部材７の先端部がヒューズ打出口２ｃから突出し、ヒューズ５をヒューズ挿入対象物に打ち出すことができる。
【００５９】
本実施の形態に係るヒューズ挿入ガン１は、ストロークの最前端から最後端まで打出部材が移動すると、ヒューズ用圧縮ばね６ｂによってヒューズマガジン６から射出部２内のヒューズ収容部２ｂに新たなヒューズ５が供給される。
【００６０】
このため、本実施の形態に係るヒューズ挿入ガン１は、ヒューズ挿入対象物にヒューズ５を容易に挿入することができ、ヒューズ５に変形や損傷等が生じることがない。
【００６１】
本実施の形態に係るヒューズ挿入ガン１は、作業者がヒューズマガジン６の窓部６ｃから残りのヒューズ５の数を確認できる。
【００６２】
このため、本実施の形態に係るヒューズ挿入ガン１は、複数のヒューズ挿入対象物に対してヒューズ５を挿入する場合に、残りのヒューズ５の数を確認することによりヒューズ挿入対象物へのヒューズ５の挿入忘れを防止することができる。
【００６３】
以上説明したように、本発明に係るヒューズ挿入ガンは、簡単な操作でヒューズ挿入対象物にヒューズを正確に挿入することができ、ヒューズに変形や損傷等が生じることがないという効果を有し、ヒューズ挿入具として有用である。
【符号の説明】
【００６４】
１  ヒューズ挿入ガン
２  射出部
２ａ  マガジン差込部
２ｂ  ヒューズ収容部
２ｃ  ヒューズ打出口
３  グリップ部
４  筐体
５  ヒューズ
６  ヒューズマガジン
７  打出部材
８  ラック
９  トリガー
１０  ピニオン
１１  シャフト
１２  ワンウェイクラッチ
１３  クランク部材
１４  コネクティングロッド
１５  ラック用引張ばね（弾性部材）
１７  ブラケット
【図１】
2016184543.tif 000003
【図２】
2016184543.tif 000004
【図３】
2016184543.tif 000005
【図４】
2016184543.tif 000006
【図５】
2016184543.tif 000007
【図６】
2016184543.tif 000008
【図７】
2016184543.tif 000009
【図８】
2016184543.tif 000010